(57)【特許請求の範囲】
【請求項１】
胴部前板、胴部側板、胴部後板、胴部側板を折り線を介して順次、連接してなる胴部と、前記胴部の上部に設けられ、前記胴部前板及び前記胴部側板の一部に覆い被さる被せ蓋と、前記胴部の下部を閉じてなる底部を有するカートンと、該カートンの内側に貼付された内袋とを備えたバッグインカートンであって、前記胴部は、前記胴部前板の上辺、及び前記胴部側板の上辺の前記胴部前板寄りの一部分が前記胴部後板の上辺よりも低く設けられ、前記胴部側板の上辺の前記胴部後板寄りの一部分が前記胴部後板の上辺と同じレベルに設けられ、前記被せ蓋は、前記胴部後板に折り線を介して連接された蓋部天板と、前記胴部板との間で折り返された折り返し片を介して連接された蓋部前板と、該蓋部前板に連接するとともに前記胴部側板の前記胴部前板寄りの部分との間で折り返された繋ぎ片を介して連接された蓋部側板とから構成され、前記折り返し片に略全幅にわたって第１の弱め線を形成するとともに、前記繋ぎ片と前記胴部側板との連接部分に第２の弱め線を形成し、前記被せ蓋を前記蓋部天板に連接する前記折り線をヒンジ部として回動したときに前記第１の弱め線及び前記第２の弱め線が切断されて開封することができ、前記胴部前板の上辺と前記胴部側板の上辺の一部を、前記胴部後板の上辺より下に設け、抉（えぐ）られた形状とし、前記胴部側板の抉られていない上辺部分を被せ蓋支持辺として前記胴部後板の上辺と略同じレベルとし、カートンが成形されると前記被せ蓋の天部裏面に内接して、下から受け止め、カートンの座屈強度を高める作用をしていることを特徴とするバッグインカートン。
【請求項２】
前記カートンが、前記胴部の略水平方向に一周するジッパーを備え、該ジッパーを切り離すことにより前記胴部が分割されることを特徴とする請求項１記載のバッグインカートン。
【請求項３】
前記ジッパーが、複数のＹ字状の切り込みを平行に配列して形成されたことを特徴とする請求項２記載のバッグインカートン。
【請求項４】
前記内袋が、前記カートンの前記ジッパーの部分を除いて貼付されていることを特徴とする請求項２又は３記載のバッグインカートン。
【発明の詳細な説明】
【０００１】
【発明の属する技術分野】
本発明は、内袋の開封、再封を容易にしたフリップトップ型のバッグインカートンに関する。
【０００２】
【従来の技術】
吸湿、酸素透過等を嫌う粉体、顆粒状、フレーク状等の内容物を小出しにする場合に、これまでヒンジによって回動する被せ蓋（以下フリップトップと称する）を備えたバッグインカートンが使用されている。この場合のバッグインカートンは、内袋フィルム原反を筒貼りし、フラットに折り畳まれた筒状体を、適宜な長さにカットして、カートンのサック貼り時点でカートン内面に貼り合わせたいわゆるラインドカートンである。このラインドカートンの特徴は、カートンを成形する場合に、内袋もカートンの内容積一杯に拡がるので内容物を充填しやすく、内袋の上下端を角状になるようシールして折り畳めば、必要最小限の包装材料で、無駄な空間を持たないコンパクトな包装体が可能になることにある。
図３は、従来のフリップトップ型バッグインカートン３０の開封、再封説明図である。
被せ蓋の前板を上方に持ち上げると、被せ蓋内に折り込まれている繋ぎ片が切断されて図３（ａ）に示すように開封する。開封された状態での胴部の前板、後板、両側板の高さは皆同一である。
次に、折り畳まれた内袋の上端部を引き起こし、そのトップシールの一端であるいわゆる耳部を鋏で切り落として開封口Ｍを形成して、そこから内容物を必要量取り出すことができる。再封する場合は、図３（ｂ）の状態にもどしてから図３（ｃ）の番号順に、先ず両耳を折り畳み、次にトップシール部を手前に折り畳んで、最後に被せ蓋を倒せば、内袋上部は封止される。
【０００３】
【発明が解決しようとする課題】
しかるに、上述のフリップトップ型バッグインカートンでは、内袋の無駄が少なくなるように、カートン胴部の上下辺から外側にはみ出す内袋の寸法は成形に必要な最小限度にとどめられており、そのため前述の手順による内袋の開封、再封は極めてやりにくいという問題がある。バッグインカートンの頭部において、内袋のカートンより飛び出す寸法を大きく取れば、この問題は解決するが、内袋にはアルミ箔等の高価な包装材料が使用されているため包装材料コストが高くなるという問題があり、また、余分な内袋を収納するためのカートンスペースも必要になって、バッグインカートンが本来有するコンパクトさを失うという問題が生ずる。
また、一方で、使用中に中身の内容量が少なくなっても、パッケージの容積は変わらず、内袋を小さく折り畳むことが出来ないという問題がある。
本発明は、この問題点に鑑みてなされたもので、従来の使用量を越えない範囲の包装材料でもって、開封性、再封性とも良好な、扱い易いバッグインカートンを提供することを目的とする。
【０００４】
【課題を解決するための手段】
前記課題を解決するために本発明では、胴部前板、胴部側板、胴部後板、胴部側板を折り線を介して順次、連接してなる胴部と、前記胴部の上部に設けられ、前記胴部前板及び前記胴部側板の一部に覆い被さる被せ蓋と、前記胴部の下部を閉じてなる底部を有するカートンと、該カートンの内側に貼付された内袋とを備えたバッグインカートンにおいて、前記胴部は、前記胴部前板の上辺、及び前記胴部側板の上辺の前記胴部前板寄りの一部分が前記胴部後板の上辺よりも低く設けられ、前記胴部側板の上辺の前記胴部後板寄りの一部分が前記胴部後板の上辺と同じレベルに設けられ、前記被せ蓋は、前記胴部後板に折り線を介して連接された蓋部天板と、前記胴部前板との間で折り返された折り返し片を介して連接された蓋部前板と、該蓋部前板に連接するとともに前記胴部側板の前記胴部前板寄りの部分との間で折り返された繋ぎ片を介して連接された蓋部側板とから構成し、前記折り返し片に略全幅にわたって第１の弱め線を形成するとともに、前記繋ぎ片と前記胴部側板との連接部分に第２の弱め線を形成し、前記被せ蓋を前記蓋部天板に連接する前記折り線をヒンジ部として回動したときに前記第１の弱め線及び前記第２の弱め線が切断されて開封することができ、前記胴部前板の上辺と前記胴部側板の上辺の一部を、前記胴部後板の上辺より下に設け、抉（えぐ）られた形状とし、前記胴部側板の抉られていない上辺部分を被せ蓋支持辺として前記胴部後板の上辺と略同じレベルとし、カートンが成形されると前記被せ蓋の天部裏面に内接して、下から受け止め、カートンの座屈強度を高める作用をしていることを特徴とする。また、前記カートンが備える前記胴部を略水平方向に一周するジッパーを切り離すことにより前記胴部を分割することもできる。さらに、前記ジッパーを複数のＹ字状の切り込みを平行に配列して形成することもできる。
【０００５】
【発明の実施の形態】
以下，本発明を図面を用いてさらに詳しく説明する。
図１は、本発明によるバッグインカートンのカートンブランク展開図である。図１に示すように、本発明によるバッグインカートンのカートンブランク１０は、４角柱状の胴部とフリップトップ型の被せ蓋とが一体となって形成されている。
胴部は、胴部側板１１、胴部前板１２、胴部側板１３、胴部後板１４、糊代１５がこの順に一列に折り線ａ〜ｄを介して連接されてなり、胴部後板１４の上辺にはヒンジとなる折り線ｈを介して蓋部天板２が連接されている。
蓋部天板２以外の被せ蓋部分は、蓋部前板１、２枚の蓋部側板３、及びその各々に折り線ｇを介して連接された折り返し片６、７からなっている。これらを被せ蓋部と称する。
胴部と被せ蓋部との間には、所定の幅を有する繋ぎ部Ｚが介在する。この部分は蓋部前板１、蓋部側板３の下部と胴部前板１２、胴部側板１１、１３の上部との間で、折り線ｅ及び折り線ｆと弱め線ｊによってＺ字状に折り畳まれる。
この繋ぎ部Ｚは、被せ蓋部と胴部の前板同志を繋ぐ繋ぎ片と側板同志を繋ぐ２枚の繋ぎ片４とからなり、前者は、中段で弱め線ｉで切断される上下２枚の折り返し片５、８から構成されている。折り返し片５は、折り線ｅを介して蓋部前板１に、折り返し片８は、折り線（リード罫が好ましい）ｆを介して胴部前板１２と連接している。
また、繋ぎ片４は、蓋部側板３と折り線ｅを介して連接され、胴部側板１１、１３とはそれらの上辺の一部との間で弱め線ｊを介して連接されている。
なお、上記の弱め線ｉ，ｊは繋ぎを少なくした切れ目線からなり、開封時に抵抗なく容易に被せ蓋を開封できるようになっている。
本発明によるバッグインカートンのカートンブランクを従来のフリップトップ型バッグインカートンのカートンブランクと較べてみて構造的に大きく異なる点は、胴部前板１２の上辺と胴部側板１１，１３の上辺の一部が、胴部後板１４の上辺、すなわち、被せ蓋が回動するヒンジ（折り線ｈ）のレベルより下に設けられていることである。すなわち胴部の前板と側板の上部が抉（えぐ）られている。そしてその段差分、胴部前板１２の上下幅が短くなり、蓋部前板１の上下幅が大きくなっている。その結果、開封時に成形された内袋上部の前面及び側面が露出するようになる。この露出度は、大きいほど本発明の目的に沿うことになり好ましいが、大きすぎるとカートンが構造的に弱くなるので、上記の段差はこの両面を配慮して決める必要がある。
また、胴部側板１１、１３の抉られていない上辺部分を被せ蓋支持辺Ｓとしてヒンジと略同じレベルに置かれている。この被せ蓋支持辺Ｓは、カートンが成形されると被せ蓋の天部裏面に内接して、被せ蓋を下から受け止め、カートンの座屈強度を高めるように作用する。
内袋Ｂはカートンブランク１０の内面に剥離可能な接着剤を用いて部分接着部Ａで貼着される。
さらに、胴部には、胴部を一周する２本のＹ字状のジッパーＪが設けられていて、帯状片Ｏを切り離して胴部を分割できるようになっている。
【０００６】
以上のカートンブランク１０から本発明によるバッグインカートン２０を成形するには、先ず、繋ぎ部Ｚが，Ｚ字状に折り込まれる。すなわち、折り線ｆと弱め線ｊでカートンブランク１０を表側に折り畳み、次いで、折り線ｅによって裏側に折り畳み、繋ぎ片４と蓋部側板３の裏面同志及び折り返し片５と蓋部前板１の裏面同志を接着しておく。
この状態のカートンブランク１０に、図１において点線で示すような位置関係で、フラットに折り畳まれ、必要最小限度の長さにカットされた内袋Ｂを部分接着部Ａで剥離可能な接着剤を用いて部分接着する。この部分接着は、内袋Ｂを手で引っ張れば容易に剥離可能である程度に仮着しておくことが好ましい。これは、開封、再封時に内袋Ｂをカートン内面から引き離せた方が作業性がよいからであり、また最終的な内袋Ｂとカートンとの分別廃棄を容易にするためである。
この剥離可能に弱接着を行うには、接着剤層が剪断剥離を起こしやすい接着剤を選択するか、強接着剤で部分接着部Ａの接着面積を小さくして貼り合わせるか、板紙裏面の部分接着部Ａにあらかじめメッシュ状の切り込みを入れるか、あるいは、その周辺を円形のハーフカットで囲むようにして板紙の層間剥離を起こさせるようにしてもよい。
次いで、折り線ａ，ｃでカートンブランク全体が、三つ折りされ、胴部側板１１と糊代１５が糊付けされる。
このようにして得られたフラットに折り畳まれたバッグインカートン２０を、成形充填機に供給して、先ずカートンを角柱状に起こし、同時に角柱状に起こされた内袋Ｂの上部をヒートシールして折り畳み、次いでカートンの折り返し片６、７を蓋部天板２に糊貼りして被せ蓋上部を成形し、天地を逆にして、内容物を底部から充填後、内袋下部を同様にヒートシールして折り畳み、カートン底部の底部折り返し片１６〜１９を折り返し、糊貼りして成形すれば、図２（ａ）に示すような本発明によるバッグインカートン２０が仕上がる。
なお、上記の成形順序は天地逆にしてもよい。
【０００７】
図２は、本発明によるバッグインカートン２０の開封、再封説明図である。
図２（ａ）は、本発明によるバッグインカートン２０の斜視図であって、従来のものに較べて蓋部の前板１と側板３は深めになっている。
蓋部前板１を矢印にように上方に持ち上げるようにすると、繋ぎ部Ｚに設けられた弱め線ｉ，ｊは、容易に破壊されて、被せ蓋を抵抗少なく開封することができる。
図２（ｂ）は、本発明によるバッグインカートン２０の開封、再封方法の説明図であって、被せ蓋を開封後、折り畳まれた内袋の上部を図２（ｂ）に示すように引き延ばし、トップシールに沿ってカットすれば、バッグインカートンの上部は大きく開口できる。このカットの方法は、鋏等の道具を使わなくとも、カットを始める方の折り目に沿って外側から付けられた傷痕をきっかけに手で水平に引き裂いてもよい。なお、この場合、内袋の基材に横一軸延伸フィルムが使用されていれば、カットはさらにスムースに行われる。
以上のように、被せ蓋を開封した状態での、内袋の上部の露出度は従来のものに較べて大きく、また胴部後板１４と内袋Ｂの剥離も容易なため、内袋Ｂの上部が独立した状態となり、開封はもとより、次の再封の自由度が増して作業性が極めて改善される。
再封については、図２（ｂ）に示す状態から、内袋の上部を手前に巻き折りして、両耳を内側に倒すようにしてもよいし、また内袋の両側をガゼット折りしてから、上部を巻き折りするようにしてもよい。
最後に、被せ蓋が前面に倒されると、被せ蓋の裏面では、折り返し片８が、蓋部前板１の裏面に折り返されて接着されている折り返し片５のエッジに引っ掛かることによって係止され、巻き込まれた内袋が反発力で戻ろうとしても、それを押さえ込むことが可能である。
また、内容物の残量が少なくなってきた場合、Ｙ字状のジッパーＪで帯状片Ｏを切り離し、胴部を水平に分割してカートンの上部を取り外し、内袋Ｂをさらに小さく巻き込んで、分割されて残る部分に収納するようにしてもよい。
また、最終的には最後のカートンも内袋Ｂから分離して分別廃棄し易いようになっている。
【０００８】
【実施例】
本発明によるバッグインカートン２０を脱脂粉乳用のパッケージとして使用すべく、次の仕様で実施例サンプルを試作した。
板紙：  マニラボール  ３４５ｇ／ｍ2 
外箱寸法：  高さ１４５ｍｍ，幅１１５ｍｍ，奥行き５５ｍｍ（胴部）
胴部前板と後板の段差：  ２０ｍｍ
内袋寸法：  長さ  ２３５ｍｍ，折り径  １６２ｍｍ
内袋の積層構成：  ＯＰＰ２０／ＰＥ１５／ＡＬ７／ＰＥ３０
ここで  ＯＰＰ  延伸ポリプロピレン
ＰＥ    ポリエチレン
ＡＬ    アルミ箔
数字は、各層の厚みで、単位はμｍである。
この実施例サンプルに脱脂粉乳を２５０ｇ充填して、成形したものと従来の製品を比較例として比較テストを行った結果、内袋の開封、再封については、従来のものに較べて自由度が高まり、作業性がよくなり高齢者によっても開封、再封が容易であった。
また、胴部側板１１、１３の上部の一部を抉り取らずに残したので、バッグインカートン２０の座屈強度を落とすことなく、製品の集積、荷役等も従来どおりに可能であった。
実施例サンプルの使用の後半で、帯状片Ｏを引き裂いて胴部の上部を取り去り内袋を小さく折り畳むことができ、またＹ字状のジッパーＪによって帯状片Ｏを引き裂くことによって、従来のＬ時型ジッパーに比較して極めて安定し、帯状片Ｏが途中で切れてしまうようなトラブルは皆無であった。
【０００９】
【発明の効果】
本発明によれば、バッグインカートンのカートンの胴部前板１２と胴部側板１１、１３の上部を一部抉り取り、また内袋と外箱を剥離可能に接着したことにより、開封時、内袋上部の露出度を大きくすることができ、従来と同一仕様のパッケージでありながら開封性、再封性の極めて良好な、使い易いフリップトップ型バッグインカートンを提供することができる。
また、上記の胴部側板１１、１３が抉り取られても、一部は胴部後板１４レベルを維持しているので、成型されたカートンの座屈強度が大きく落ちることがない。
さらに、Ｙ字状のジッパーを備えた帯状片を引き裂くことにより胴部を分割することによって、中身の内容量が少なくなった場合に内袋をさらに小さく折り畳み、パッケージ全体をコンパクトにすることが可能である。
【図面の簡単な説明】
【図１】本発明によるバッグインカートンのカートンブランク展開図
【図２】本発明によるバッグインカートンの開封、再封説明図。
【図３】従来のフリップトップ型バッグインカートンの開封、再封説明図
【符号の説明】
１    蓋部前板
２    蓋部天板
３    蓋部側板
４    繋ぎ片
５    折り返し片
６、７    蓋部折り返し片
８    折り返し片
１０    本発明によるバッグインカートンのカートンブランク
１１    胴部側板
１２    胴部前板
１３    胴部側板
１４    胴部後板
１５    糊代
１６〜１９    底部折り返し片
２０    本発明によるバッグインカートン
３０    従来のフリップトップ型バッグインカートン
ａ〜ｈ    折り線
ｉ    第１弱め線
ｊ    第２弱め線
Ａ    仮接着部
Ｂ    内袋
Ｊ    Ｙ字状ジッパー
Ｍ    開口部
Ｏ    帯状片
Ｓ    被せ蓋支持辺
Ｚ    繋ぎ部
【図１】
0003841935.tif 000002
【図２】
0003841935.tif 000003
【図３】
0003841935.tif 000004